(57)【特許請求の範囲】
【請求項１】
フード１と、電動モータ１１のモータ軸１１ａにファン１２を取付けた送風機１０と、複数の運転釦を有し、いずれか１つの運転釦を操作することで運転信号を出力するスイッチ２０と、このスイッチ２０が出力する運転信号に対応して前記電動モータ１１を駆動制御していずれか１つの運転状態とするモータ制御装置３０を備え、
前記電動モータ１１でファン１２を回転することで、前記フード１内の空気を排出するようにしたレンジフードであって、
前記モータ制御装置３０は、現在入力されている運転信号よりも１段速い方の運転信号が新たに入力されたときには、前記電動モータ１１を、現在入力されている運転信号に対応した回転速度で一定時間継続して駆動し、前記一定時間経過後に新たに入力された運転信号に対応した回転速度で駆動し、
現在入力されている運転信号よりも２段以上速い方の運転信号が新たに入力されたときには、前記電動モータ１１を、現在入力されている運転信号に対応した回転速度で一定時間継続して駆動し、その一定時間経過後に１段速い方の運転信号に対応した回転速度で一定時間継続して駆動し、その一定時間経過後に新たに入力された運転信号に対応した回転速度で駆動し、
レンジフード運転停止状態で前記スイッチ２０から最低速の運転信号よりも速い方の運転信号が入力されたときに、前記電動モータ１１を最低速の運転信号に対応した回転速度で起動して一定時間駆動し、その一定時間経過後に新たに入力された速い方の運転信号に対応した回転速度で駆動する構成としたことを特徴とするレンジフードの運転制御装置。
【発明の詳細な説明】
【技術分野】
【０００１】
本発明は、レンジフードのファンの回転を制御してレンジフードを強運転、中運転、弱運転等とするレンジフードの運転制御装置に関する。
【背景技術】
【０００２】
レンジフードとしては、フード内に送風機を設け、その送風機を駆動することで、調理時に発生した油煙などをフード内に捕集し、屋外に排出するものが一般的である。
このようなレンジフードにおいては、送風機を電動モータでファンを回転するものとし、そのファンの回転を制御することでレンジフードの運転を制御することが一般的に知られている。
例えば、特許文献１に開示したように、フードの前面にスイッチを取付ける。このスイッチは、複数の運転釦、例えば強釦、中釦、弱釦、切釦を備え、その強釦を押すことで電動モータが高速度段で駆動し、ファンが高速回転してレンジフードは強運転となる。
同様に、中釦、弱釦を押すことで電動モータが中速度段で駆動、低速度段で駆動し、ファンが中速回転、低速回転してレンジフードは中運転、弱運転となる。
前記切釦を押すことで電動モータが停止し、ファンも停止してレンジフードは運転停止となる。
【先行技術文献】
【特許文献】
【０００３】
【特許文献１】特開平１０−１３２３５１号公報
【発明の概要】
【発明が解決しようとする課題】
【０００４】
前述した従来のレンジフードに用いる送風機は、電動モータのモータ軸にファンを取付け、そのモータ軸とともにファンを回転するものである。
このために、電動モータのモータ軸の回転が急激に速くなると、ファンやモータ軸に異常なねじれトルクが発生し、ファンやモータ軸を損傷する恐れがある。
【０００５】
例えば、前述のスイッチの弱釦を押した後に、直ちに中釦を押した場合には、電動モータが低速度段に対応した低速回転となる以前の状態、つまり電動モータが前述の低速回転よりも遅い回転状態から中速度段に対応した中速回転となるので、電動モータが低速回転状態から中速回転となる場合に比べて、電動モータの回転変化が急となるから、電動モータのモータ軸の回転が急激に速くなる。
つまり、電動モータが操作した釦と見合う速度段に対応した回転速度で回転する定常状態となる以前に、その釦よりも速い方の釦を押した場合には、電動モータのモータ軸の回転が急激に速くなる。
【０００６】
また、前述のスイッチの弱釦を押して電動モータが低速回転している状態から強釦を押して電動モータを高速回転する場合にも電動モータの回転変化が急となり、電動モータのモータ軸の回転が急激に速くなる。
つまり、電動モータを、２段以上速い方の速度段とする場合にも電動モータの回転変化が急となり、電動モータのモータ軸の回転が急激に速くなる。
【０００７】
また、電動モータが停止している状態で、中釦を押した場合には、電動モータの回転が急激に速くなるから、その電動モータのモータ軸の回転が急激に速くなる。
【０００８】
本発明の目的は、スイッチの複数の運転釦を、どのように操作しても電動モータのモータ軸の回転が急激に速くなることがなく、ファンやモータ軸に異常なねじれトルクが発生して損傷することがないようにしたレンジフードの運転制御装置とすることである。
【課題を解決するための手段】
【０００９】
本発明は、フード１と、電動モータ１１のモータ軸１１ａにファン１２を取付けた送風機１０と、複数の運転釦を有し、いずれか１つの運転釦を操作することで運転信号を出力するスイッチ２０と、このスイッチ２０が出力する運転信号に対応して前記電動モータ１１を駆動制御していずれか１つの運転状態とするモータ制御装置３０を備え、
前記電動モータ１１でファン１２を回転することで、前記フード１内の空気を排出するようにしたレンジフードであって、
前記モータ制御装置３０は、現在入力されている運転信号よりも１段速い方の運転信号が新たに入力されたときには、前記電動モータ１１を、現在入力されている運転信号に対応した回転速度で一定時間継続して駆動し、前記一定時間経過後に新たに入力された運転信号に対応した回転速度で駆動し、
現在入力されている運転信号よりも２段以上速い方の運転信号が新たに入力されたときには、前記電動モータ１１を、現在入力されている運転信号に対応した回転速度で一定時間継続して駆動し、その一定時間経過後に１段速い方の運転信号に対応した回転速度で一定時間継続して駆動し、その一定時間経過後に新たに入力された運転信号に対応した回転速度で駆動し、
レンジフード運転停止状態で前記スイッチ２０から最低速の運転信号よりも速い方の運転信号が入力されたときに、前記電動モータ１１を最低速の運転信号に対応した回転速度で起動して一定時間駆動し、その一定時間経過後に新たに入力された速い方の運転信号に対応した回転速度で駆動する構成としたことを特徴とするレンジフードの運転制御装置である。
【発明の効果】
【００１７】
請求項１に係る発明によれば、スイッチ２０の１つの運転釦を操作してから、直ちに１段速い方の運転釦を操作した場合に、電動モータ１１のモータ軸１１ａの回転が急激に速くならないから、ファン１２やモータ軸１１ａに異常なねじれトルクが発生して損傷することがない。
また、スイッチ２０の１つの運転釦を操作してから、２段以上速い方の運転釦を操作した場合に、電動モータ１１のモータ軸１１ａの回転が急激に速くならないから、ファン１２やモータ軸１１ａに異常なねじれトルクが発生して損傷することがない。
また、レンジフードを運転開始する際に、スイッチ２０の最低速の運転釦よりも速い方の運転釦を操作しても、電動モータ１１は最低速の運転信号に対応した回転速度で起動して一定時間駆動し、その後に入力された運転信号に対応した回転速度で駆動する。
したがって、レンジフードを運転開始する際に電動モータ１１のモータ軸１１ａの回転が急激に速くならないから、ファン１２やモータ軸１１ａに異常なねじれトルクが発生して損傷することがない。
【図面の簡単な説明】
【００２５】
【図１】本発明の実施の形態を示すレンジフードの全体一部破断側面図である。
【図２】電動モータの制御装置の概略説明図である。
【図３】本発明のモータ制御装置の実施の形態を示す説明図である。
【発明を実施するための形態】
【００２６】
図１に示すように、本発明のレンジフードは、フード１と送風機１０とスイッチ２０を備え、そのスイッチ２０を操作して送風機１０を駆動することで、調理時に発生した油煙などを空気とともにフード１内に捕集して屋外に排出する。
前記送風機１０は、電動モータ１１のモータ軸１１ａにファン１２を取付け、その電動モータ１１を駆動することでモータ軸１１ａとともにファン１２を回転し、レンジフードを運転する。
前記スイッチ２０は、図２に示すように、レンジフードの運転状態を選択する複数の運転釦、例えば弱釦２１、中釦２２、強釦２３、切釦２４を備え、いずれか１つの運転釦を操作することで運転信号がモータ制御装置３０に入力される。
【００２７】
前記モータ制御装置３０は、入力された運転信号に応じて電動モータ１１を駆動制御し、レンジフードをいずれか１つの運転状態とする。
例えば、弱釦２１を操作して弱運転信号がモータ制御装置３０に入力されたときには、電動モータ１１を低速度段に対応した低速度で回転し、ファン１２を低速回転してレンジフードを弱運転とする。
同様に、弱釦２１よりも１段速い方の中釦２２、中釦２２よりも１段速い方の強釦２３を操作して弱運転信号よりも１段速い中運転信号、中運転信号よりも１段速い強運転信号がモータ制御装置３０に入力されたときには、電動モータ１１を中速度段、高速度段に対応した中速度、高速度で回転してファン１２を中速回転、高速回転してレンジフードを中運転、強運転とする。
前記切釦２４を操作したときには停止信号がモータ制御装置３０に入力されて電動モータ１１を停止し、ファン１２を停止してレンジフードを運転停止する。
【００２８】
前述の図２に示すスイッチ２０は、照明釦２５を有し、その照明釦２５を操作すると図示しないランプが点燈するようにしてある。
前述のスイッチ２０は、押釦タイプに限ることはなく、タッチタイプなどでも良いし、リモコンスイッチとすることができる。
【００２９】
図１に示すレンジフードを詳細に説明する。
フード１は、上面板２と周面板３で下面が開口した箱形状で、そのフード１内にフィルター４と整流板５が設けてある。
前記送風機１０は、ケーシング１３内にファン１２を設け、そのケーシング１３に設けた電動モータ１１のモータ軸１１ａにファン１２を取付けてある。
この送風機１０はフード１内に設けてあり、ファン１２を回転することで吸込口１４から空気を吸い込み、排出ダクト１５に吐出する。
前記スイッチ２０は周面板３の前面３ａに取付けてある。
本発明の運転制御装置は、前述した図１に示すレンジフードに限ることはなく、従来から知られている各種のレンジフードに適用できることは勿論である。
【００３０】
前記モータ制御装置３０は、図３に示すように、スイッチ２０から各種運転信号が入力される制御部３１と、この制御部３１から速度段制御信号が入力されるインターフェース部３２を有している。
前記制御部３１は、入力された運転信号に対して各種制御を行い、速度段制御信号（速調制御信号）をインターフェース部３２に出力する。
前記インターフェース部３２は、入力された速度段制御信号と対応した速度段となるように速度段指令（変調指令）を出力し、電動モータ１１に、所定の速度段に対応した回転速度で駆動するように駆動電流を流し、電動モータ１１を所定の速度段に対応した回転速度で駆動する。
本発明のモータ制御装置３０は前述のものに限ることはなく、後述した動作を行うものであれば良い。
【００３１】
次に、レンジフードの運転を、現在の運転状態よりも１段速い方へと切り替える（つまり、１段増速する）際のモータ制御装置３０の動作制御を説明する。
前記モータ制御装置３０は現在入力されている運転信号を記憶している。
そして、モータ制御装置３０に、記憶されている運転信号よりも１段速い方の運転信号が新たに入力されたときには、電動モータ１１を、現在入力されている運転信号に対応した回転速度で一定時間継続して駆動する。
前記一定時間経過後に、電動モータ１１を、新たに入力された運転信号に対応した回転速度で駆動する。
【００３２】
前述の一定時間とは、運転信号が入力されてから電動モータ１１が、入力された運転信号に対応した回転速度で安定して駆動、つまり定常状態となるまでの時間である。
【００３３】
このようであるから、スイッチ２０の１つの運転釦を操作してモータ制御装置３０に運転信号を入力してから、前記一定時間が経過しないとき、つまり直ちに１段速い方の運転釦を操作して現在入力されている運転信号よりも１段速い方の運転信号をモータ制御装置３０に入力した場合に、電動モータ１１は現在入力されている運転信号に対応した回転速度まで増速した後に、新たに入力された運転信号に対応した回転速度まで増速され、電動モータ１１の回転が急激に変化しないので、電動モータ１１のモータ軸１１ａの回転が急激に速くなることがない。
【００３４】
したがって、スイッチ２０の１つの運転釦を操作してから、直ちに１段速い方の運転釦を操作した場合でも、電動モータ１１のモータ軸１１ａの回転が急激に速くなることがないので、ファン１２やモータ軸１１ａに異常なねじれトルクが発生して損傷することがない。
【００３５】
前述の動作を詳細に説明する。
前記制御部３１はスイッチ２０から入力された運転信号を記憶している。
この制御部３１に記憶されている運転信号よりも１段速い方の運転信号が制御部３１に新たに入力されたときには、制御部３１は記憶している運転信号に対応した速度段制御信号を一定時間継続して出力し、その一定時間経過後に新たに入力された運転信号に対応した速度段制御信号を出力する。
【００３６】
このようにすることで、スイッチ２０の１つの運転釦を操作してから、前述の一定時間が経過せずに電動モータ１１は操作した運転釦に見合う速度段に対応した回転速度以下の回転速度のときに、新たに１段速い方の運転釦を操作した場合に、電動モータ１１が先に操作した運転釦に見合う速度段に対応した回転速度まで増速した後に、新たに操作した運転釦に見合う速度段に対応した回転速度となる。
したがって、電動モータ１１のモータ軸１１ａの回転が急激に速くなることがないので、モータ軸１１ａやファン１２に異常なねじれトルクが発生して損傷することがない。
【００３７】
例えば、スイッチ２０の弱釦２１を操作して弱運転信号が制御部３１に入力されてから、電動モータ１１が低速度段に対応した回転速度まで増速されないときに、スイッチ２０の中釦２２を操作して中運転信号が制御部３１に入力された場合に、制御部３１は直ちに中速度段制御信号をインターフェース部３２に出力せずに、先に入力された弱運転信号に対応した低速度段制御信号を一定時間継続して出力し続ける。
そして、前述の一定時間経過後に、制御部３１は中速度段制御信号をインターフェース部３２に出力し、電動モータ１１を中速度段に対応した回転速度まで増速する。
【００３８】
このようにすることで、電動モータ１１は低速度段に対応した回転速度まで増速してから、中速度段に対応した回転速度に増速するので、電動モータ１１の回転変化が急激になることがなく、電動モータ１１のモータ軸１１ａの回転が急激に速くなることがない。
【００３９】
また、中釦２２を操作してから強釦２３を操作する場合には、前述と同様に、電動モータ１１を中速度段に対応した回転速度で一定時間継続して駆動し、その一定時間経過後に高速度段に対応した回転速度で駆動すれば良い。
【００４０】
次に、レンジフードの運転を、現在の運転状態よりも２段以上速い方に切り替える際のモータ制御装置３０の動作制御を説明する。
前記モータ制御装置３０は、記憶されている運転信号よりも２段以上速い方の運転信号が新たに入力された場合には、現在の運転信号に対応した回転速度で電動モータ１１を一定時間継続して駆動する。
前述の一定時間経過後に、現在の運転信号よりも１段速い方の運転信号に対応した回転速度で電動モータ１１に一定時間駆動する。
前述の一定時間経過後に、新たに入力された運転信号に対応した回転速度で電動モータ１１を駆動する。
【００４１】
このようであるから、電動モータ１１は、現在の運転信号に対応した回転速度に増速した状態で、１段速い運転信号に対応した回転速度まで増速し、その状態で入力された運転信号に対応した回転速度に増速されるので、電動モータ１１の回転が急激に変化することがなく、電動モータ１１のモータ軸１１ａの回転は急激に速くならない。
したがって、レンジフードの運転を、現在の運転状態よりも２段以上速い方に切り替え操作した場合に、ファン１２やモータ軸１１ａに異常なねじれトルクが発生して損傷することがない。
【００４２】
前述の動作を詳細に説明する。
前記スイッチ２０の弱釦２１を操作して制御部３１に弱運転信号を入力している状態で、強釦２３を操作して制御部３１に強運転信号を入力した場合には、制御部３１は低速度段制御信号をインターフェース部３２に一定時間継続して出力し、電動モータ１１を低速度段に対応した低速度で一定時間継続して駆動する。
【００４３】
前述の一定時間が経過したら、制御部３１は中速度段制御信号をインターフェース部３２に一定時間継続して出力し、電動モータ１１を中速度段に対応した中速度で一定時間継続して駆動する。
前述の一定時間が経過したら、制御部３１は高速度段制御信号をインターフェース部３２に出力し、電動モータ１１を高速度段に対応した高速度で駆動する。
【００４４】
このようであるから、電動モータ１１は低速度段に対応した低速度から直接高速度段に対応した高速度に増速されることはなく、低速度段に対応した低速度で回転している状態から、中速度に対応した中速度に増速し、その中速度で回転している状態から高速度段に対応した高速度に増速される。
したがって、電動モータ１１のモータ軸１１ａの回転が急激に速くなることがなく、ファン１２やモータ軸１１ａに異常なねじれトルクが発生して損傷することがない。
【００４５】
前述したレンジフードの運転を、現在の運転状態よりも２段以上速い方に切り替える際のモータ制御装置３０の動作制御は次のようでも良い。
前記モータ制御装置３０は、記憶されている運転信号よりも２段以上速い方の運転信号が新たに入力された場合には、現在の運転信号よりも１段速い運転信号に対応した回転速度で電動モータ１１を一定時間駆動する。
前述の一定時間経過後に、新たに入力された運転信号に対応した回転速度で駆動する。
【００４６】
このようにした場合でも、電動モータ１１が２段以上速い方の運転信号に対応した回転速度に直接増速されることがない。
したがって、電動モータ１１の回転が急激に変化し、その電動モータ１１のモータ軸１１ａの回転が急激に速くならないので、ファン１２やモータ軸１１ａに異常なねじれトルクが発生して損傷することがない。
【００４７】
次に、運転停止のレンジフードを運転開始するときのモータ制御装置３０の動作制御を説明する。
前記電動モータ１１が停止してレンジフードが運転停止の状態から、スイッチ２０の最低速の運転釦を操作して最低速の運転信号をモータ制御装置３０に入力したときには、前記モータ制御装置３０は、その入力された最低の運転信号によって最低の速度段に対応した最低の回転速度で電動モータ１１を起動する。
これにより、電動モータ１１は最低の速度段に対応した最低の回転速度まで増速し、ファン１２を最低の回転速度で回転してレンジフードを最低の運転状態とする。
【００４８】
例えば、弱釦２１を操作して弱運転信号をモータ制御装置３０に入力したときには、電動モータ１１を低速度段に対応した低速度で回転し、ファン１２を低速回転してレンジフードを弱運転とする。
具体的には、弱釦２１を操作して弱運転信号を制御部３１に入力すると、制御部３１は低速度段制御信号をインターフェース部３２に入力し、そのインターフェース部３２は電動モータ１１に低速度段指令を入力して電動モータ１１を低速度で回転する。
これによって、ファン１２が低速度で回転してレンジフードは弱運転状態となる。
【００４９】
前記電動モータ１１が停止してレンジフードが運転停止の状態から、スイッチ２０の最低速の運転釦よりも速い方の運転釦を操作して最低速よりも速い運転信号をモータ制御装置３０に入力したときには、モータ制御装置３０は次のように動作制御する。
前記モータ制御装置３０は、運転信号が入力されると最低速の運転信号に対応した回転速度で電動モータ１１を起動し、その回転速度で一定時間継続して駆動し、その一定時間経過後に入力された運転信号に対応した回転速度で電動モータ１１を駆動し、その回転速度でファン１２を回転してレンジフードを入力された運転信号に見合う運転状態とする。
【００５０】
例えば、運転停止の状態から中釦２２を操作して中運転信号をモータ制御装置３０に入力したときには、弱運転信号に対応した回転速度で電動モータ１１を起動し、その回転速度で一定時間継続して駆動し、その一定時間経過後に電動モータ１１を中運転信号に対応した回転速度で駆動する。
【００５１】
具体的には、運転停止の状態から中釦２２を操作して中運転信号を制御部３１に入力したときには、制御部３１は低速度段制御信号をインターフェース部３２に入力し、そのインターフェース部３２から低速度段指令を出力して電動モータ１１を低速度段に対応した低速度で起動する。
前記制御部３１が低速度段制御信号を一定時間継続して出力した後に、その制御部３１は中速度段制御信号をインターフェース部３２に入力し、そのインターフェース部３２から中速度段指令を出力し、電動モータ１１を中速度段に対応した中速度で回転する。
【００５２】
前記入力された運転信号よりも遅い運転信号が複数ある場合には、最も遅い運転信号に対応した回転速度で電動モータ１１を起動し、その回転速度で一定時間継続して駆動する。
前述した一定時間経過後に、次に遅い運転信号に対応した回転速度で電動モータ１１を一定時間継続して駆動する。
そして、前述の一定時間経過後に入力された運転信号に対応した回転速度で電動モータ１１を駆動する。
【００５３】
例えば、運転停止の状態でスイッチ２０の強釦２３を操作して強運転信号をモータ制御装置３０に入力したときには、弱運転信号に見合う低速度段に対応した低速度で電動モータ１１を起動し、その回転速度で一定時間継続して駆動する。
前述の一定時間経過後に、中運転信号に対応した中速度で電動モータ１１を一定時間継続して駆動し、その一定時間経過後に、電動モータ１１を強運転信号に見合う高速度段に対応した高速度で回転する。
【００５４】
具体的には、運転停止の状態でスイッチ２０の強釦２３を操作して強運転信号を制御部３１に入力したときには、制御部３１からインターフェース部３２に低速度段制御信号を入力し、インターフェース部３２が低速度段指令を出力して電動モータ１１を低速度段に対応した低速度で起動する。
前記制御部３１が低速度段制御信号を出力してから一定時間経過すると、その制御部３１は中速度段制御信号をインターフェース部３２に入力し、インターフェース部３２が中速度段指令を出力して電動モータ１１を中速度段に対応した中速度で回転する。
前記制御部３１が中速度段制御信号を出力してから一定時間経過すると、その制御部３１は高速度段制御信号をインターフェース部３２に入力し、インターフェース部３２が高速度段指令を出力して電動モータ１１を高速度段に対応した高速度で駆動する。
【００５５】
前述のようにして運転停止状態のレンジフードを運転状態とするので、運転開始時に電動モータ１１が最低速よりも速い運転信号に対応した回転速度で急に起動されることがなく、電動モータ１１はゆっくりと起動されるから、その電動モータ１１のモータ軸１１ａの回転が急激に速くなることがない。
したがって、ファン１２やモータ軸１１ａに異常なねじれトルクが発生して損傷することがない。
【００５６】
前述の説明において、レンジフードが運転停止状態であることは、モータ制御装置３０（制御部３１）に停止信号が入力されていること、又は運転信号が入力されていないことなどによって判断することができる。
【符号の説明】
【００８７】
１…フード、１０…送風機、１１…電動モータ、１１ａ…モータ軸、１２…ファン、２０…スイッチ、２１…弱釦、２２…中釦、２３…強釦、３０…モータ制御装置、３１…制御部、３２…インターフェース部、３３…モータ回転数設定部、３４…比較部、３５…回転センサ、３６…判断手段、３７…測定手段、３９…比較演算部、４０…時間測定手段、４１…設定部、４２…演算部。
【図１】
0005354778.tif 000002
【図２】
0005354778.tif 000003
【図３】
0005354778.tif 000004